(57)【要約】  材料シートに形状部を開けるパンチツールである。パンチツールは、パンチ、およびハウジング内に配置されたダイ部分を備えている。ダイ部分は、材料シートを受けるように構成されたスロットを有している。下側ランプが、ハウジング内に配置され、この下側ランプは、回転されると、パンチを持上げ、ダイと係合するようになっている。下側ランプは、パンチツールの方位とは無関係に、回転可能である。従って、上下反転した位置でも、このパンチツールを用いることができる。
2009508702.tif 000002
【特許請求の範囲】
【請求項１】
下側部分、上側部分、およびパンチされる材料を受ける、前記上側部分と前記下側部分との間の領域を有するハウジングと、
前記ハウジング内に少なくとも部分的に配置されたパンチおよびダイと、
前記パンチと前記ハウジングの前記下側部分との間に配置されて、前記パンチおよび前記下側部分に対して回転可能である下側ランプであって、前記下側ランプの回転時に前記パンチと係合可能である下側ランプと、
を備えるパンチツールにおいて、
前記下側ランプの回転によって、前記パンチが、前記ハウジング内において移動し、前記ダイと係合するようになっていることを特徴とするパンチツール。
【請求項２】
前記ハウジングの前記上側部分と前記パンチとの間に配置され、前記上側部分および前記パンチに対して回転可能である上側ランプであって、前記下側ランプと係合可能である上側ランプをさらに備え、前記上側ランプの回転によって、前記下側ランプが回転するようになっていることを特徴とする、請求項１に記載のパンチツール。
【請求項３】
前記パンチは、前記ハウジング内に離脱可能にかつ回転不能に固定されていることを特徴とする、請求項２に記載のパンチツール。
【請求項４】
前記上側ランプに連結された第１のハンドルおよび前記ハウジングに取り付けられた第２のハンドルであって、互いに対して移動可能に配置された、第１のハンドルおよび第２のハンドルをさらに備え、前記第１のハンドルを前記第２のハンドルの近くに引寄せることによって、前記上側ランプが回転するようになっていることを特徴とする、請求項２に記載のパンチツール。
【請求項５】
前記第１のハンドルおよび前記第２のハンドルは、前記パンチが前記ダイと係合することを可能とするように前記上側ランプを回転させるのに十分な制限範囲内において、互いに対して移動可能であることを特徴とする、請求項４に記載のパンチツール。
【請求項６】
前記第１のハンドルおよび前記第２のハンドルは、互いに離れるように付勢されていることを特徴とする、請求項５に記載のパンチツール。
【請求項７】
前記下側ランプは、前記下側ランプの回転時に、前記ハウジングの前記下側部分および前記パンチと係合可能であることを特徴とする、請求項１に記載のパンチツール、
【請求項８】
前記下側ランプに連結された第１のハンドルおよび前記ハウジングに取付けられた第２のハンドルであって、互いに対して移動可能に配置された、第１のハンドルおよび第２のハンドルをさらに備え、前記第１のハンドルを前記第２のハンドルの近くに引寄せることによって、前記下側ランプが回転するようになっていることを特徴とする、請求項７に記載のパンチツール。
【請求項９】
前記第１のハンドルおよび前記第２のハンドルは、前記パンチが前記ダイと係合することを可能とするように前記上側ランプを回転させるのに十分な制限範囲内において、関連して移動可能であることを特徴とする、請求項８に記載のパンチツール。
【請求項１０】
前記第１のハンドルおよび前記第２のハンドルは、互いに離れるように付勢されていることを特徴とする、請求項９に記載のパンチツール。
【請求項１１】
下側部分、上側部分、およびパンチされる材料を受ける、前記上側部分と前記下側部分との間の領域を有するハウジングと、
前記ハウジング内に回転不能に固定されたパンチ、およびダイであって、前記ハウジング内に少なくとも部分的に配置された、パンチおよびダイと、
前記ハウジングの前記上側部分と前記パンチとの間に配置されて前記上側部分および前記パンチに対して回転可能である上側ランプ、および前記パンチと前記ハウジングの前記下側部分との間に配置されて前記パンチおよび前記下側部分に対して回転可能である下側ランプであって、前記上側ランプは、前記下側ランプと係合可能であり、前記上側ランプの回転によって、前記下側ランプが回転し、前記下側ランプの回転時に、前記下側ランプが前記パンチと係合可能である、上側ランプおよび下側ランプと、
を備える反転可能なパンチツールにおいて、
前記下側ランプの回転によって、前記パンチが、前記ハウジング内において回転し、前記ダイと係合するようになっていることを特徴とする反転可能なパンチツール。
【請求項１２】
前記上側ランプに連結された第１のハンドルおよび前記ハウジングに取り付けられた第２のハンドルであって、互いに対して移動可能に配置された、第１のハンドルおよび第２のハンドルをさらに備え、前記第１のハンドルを前記第２のハンドルの近くに引寄せることによって、前記上側ランプが回転するようになっていることを特徴とする、請求項１１に記載の反転可能なパンチツール。
【請求項１３】
前記第１のハンドルおよび前記第２のハンドルは、前記パンチを前記ダイに係合させることを可能とするように前記上側ランプを回転させるのに十分な制限範囲内において、互いに対して移動可能であることを特徴とする、請求項１２に記載の反転可能なパンチツール。
【請求項１４】
前記第１のハンドルおよび前記第２のハンドルは、互いに離れるように付勢されていることを特徴とする、請求項１３に記載の反転可能なパンチツール。
【請求項１５】
前記パンチは、複数の突起を備え、前記パンチと係合する前記機構は、前記突起に対応する複数の楔を備え、前記下側ランプが回転すると、前記楔は前記突起と係合し、前記パンチを前記ハウジングに対して持上げるようになっていることを特徴とする、請求項１２に記載の反転可能なパンチツール。
【請求項１６】
下側部分、上側部分、およびパンチされる材料を受ける、前記下側部分と前記上側部分との間の領域を有するハウジングと、
前記ハウジング内に少なくとも部分的に配置されたパンチおよびダイと、
前記パンチと前記ハウジングの前記下側部分との間に配置され、前記パンチおよび前記下側部分に対して回転可能である下側ランプであって、前記下側ランプの回転時に、前記パンチおよび前記ハウジングの前記下側部分と係合可能である下側ランプと、
を備える反転可能なパンチツールにおいて、
前記下側ランプの回転によって、前記パンチが、前記ハウジング内において回転し、前記ダイと係合するようになっていることを特徴とする反転可能なパンチツール。
【請求項１７】
前記下側ランプに連結された第１のハンドルおよび前記ハウジングに取付けられた第２のハンドルであって、互いに対して移動可能に配置された、第１のハンドルおよび第２のハンドルをさらに備え、前記第１のハンドルを前記第２のハンドルの近くに引寄せることによって、前記下側ランプが回転するようになっていることを特徴とする、請求項１６に記載の反転可能なパンチツール。
【請求項１８】
前記第１のハンドルおよび前記第２のハンドルは、前記パンチが前記ダイと係合するのを可能とするように前記上側ランプを回転させるのに十分な制限範囲内において、互いに対して移動可能であることを特徴とする、請求項１７に記載の反転可能なパンチツール。
【請求項１９】
前記第１のハンドルおよび前記第２のハンドルは、互いに離れるように付勢されていることを特徴とする、請求項１８に記載の反転可能なパンチツール。
【請求項２０】
前記ハウジングの前記下側部分は、複数の突起を備え、前記下側ランプは、前記前記ハウジングの前記下側部分と係合するために、前記突起に対応する複数の楔を備え、前記下側ランプが回転すると、前記楔は前記突起と係合し、前記下側ランプを前記ハウジングの前記下側部分に対して持上げるようになっていることを特徴とする、請求項１６に記載の反転可能なパンチツール。
【発明の詳細な説明】
【技術分野】
【０００１】
本発明は、一般的にパンチ装置に関する。特に、本発明は、表側を上にしても、上下反転させて裏側を上にしても用いることができるパンチ装置に関する。
【背景技術】
【０００２】
材料シートに孔および図案を開ける種々のパンチツールが市販されている。例えば、従来から、３リング式バインダーの材料配置用空間に置かれた材料シートに３つの孔を同時に開ける三重パンチツールが用いられている。しかし、このようなパンチツールは、一般的に嵩張るので、取扱いが困難である。
【０００３】
一般的に、このようなパンチツールは、アクチュエータとして作用する上部を有している。このアクチュエータは、押し込まれることによって、パンチを上部と基部との間に配置されたダイ内に移動させている。例えば、従来のパンチツールは、作業面上に置かれるように設計された基部と、軸を中心として旋回し、パンチを押し込むように設計された上部と、を有することが多い。一般的に、このようなパンチおよび旋回可能な上部は、バネ部材によって付勢されている。しかし、残念ながら、このシステムは、ユーザにとって、装置の作動が比較的困難である。従って、このようなパンチツールは、手持ち式ツールとして用いることが困難である。旋回運動は、特に、幼児のような小さい手のユーザにとって、取扱いが厄介である。加えて、多くの場合、このパンチツールは、１つの方位、すなわち、作業面の平らな方位においてのみ操作可能とされているので、材料をパンチツール内に位置合わせするのが困難である。
【０００４】
当業者に知られているいくつかのパンチツールは、「手のひらパンチ」として設計されている。一般的に、このようなパンチは、通常は１つのパンチのみを含む小さい形状因子を有している。パンチを作動させる機構は、通常、バネ付勢ボタンである。すなわち、上部がバネ付勢され、ユーザは、この上部を押込み、これによって、パンチを下方に押圧し、ダイ内に移動させている。しかし、多くの場合、このようなパンチは、使用前にパンチを上に向ける必要があるので、作業面上での使用が容易でなく、片手で容易に用いることもできない。
【発明の開示】
【発明が解決しようとする課題】
【０００５】
現在市販されているパンチは、反転した位置、すなわち、基部が上に位置し、上部が底に位置したときに、利用するのが困難である。従って、標準位置および反転位置の両方において操作することができ、付加的な支持体の代わりに作業面上に置いて用いることもできるパンチツールが必要とされている。
【課題を解決するための手段】
【０００６】
本発明は、複数の方位で動作するパンチツールに関するものである。このパンチツールは、パンチ・ダイ機構を含むハウジングを有している。ハウジングは、材料シートを受けるように構成された切欠領域を含むダイ部分を有している。ハウジングは、パンチされる材料が挿入される切欠領域またはスロットを有している。切欠領域は、下面および上面を有し、これらの面の各々が、パンチされる材料シートを支持することが可能となっている。
【０００７】
本発明のこれらおよび他の目的、利点、および特徴は、本発明の操作の機構および方法と共に、添付の図面と関連させた以下の詳細な説明から明らかになるだろう。同様の要素は、以下のいくつかの図面を通して、同様の番号を付している。
【発明を実施するための最良の形態】
【０００８】
本発明は、複数の方位で操作可能なパンチツールに関するものである。図１および図２に示されるように、パンチツール１０は、ハウジング１１を備えている。ハウジング１１は、動作が互いに関連し合うダイ１４およびパンチ１８を備えるパンチ・ダイ機構１３を有している。ダイ１４は、所定の形状を持つ切刃１９を有している。本発明の一実施形態では、パンチ・ダイ機構１３は、ユーザが種々の用途に用いられ得る種々の形状および大きさを選択することを可能にするために、容易に取り外し可能となっている。種々のパンチ・ダイ構造が、本発明と共に用いられてもよい。パンチ１８は、ダイ１４と操作可能に係合し、材料シート（図示せず）に所定の形状の孔を切断するように、設計されている。例示的な一実施形態では、２枚以上の材料シートが一度に切断されてもよい。例示的な一実施形態では、孔開けされる材料は、紙である。
【０００９】
本発明のパンチツール１０は、該パンチツール１０の方位とは無関係に、パンチ１８をダイ１４を通して作動する機構を備えている。図２に示されるように、一実施形態では、ハウジング１１は、ハウジング上部１２、上側ランプ（ramp）１６、下側ランプ２０、およびハウジング下部２２を備えている。ダイ１４は、上側ハウジング１２と上側ランプ１６との間に配置され、孔開けされる材料の挿入を可能にするスロットまたは開口２８が、ハウジング１１およびダイ１４に設けられている。パンチ１８は、上側ランプ１６と下側ランプ２０との間に配置されている。パンチ１８および下側ランプ２０は、下側ハウジング２２と上側ランプ１６との間に実質的に配置されている。一実施形態では、下側ランプ２０および上側ランプ１６は、パンチ１８、ダイ１４、上側ハウジング１２、および下側ハウジング２２に対して、回転可能である。
【００１０】
図２に示される例示的な実施形態では、パンチ１８は、下側ハウジング２２の対応する溝３２に係合する少なくとも１つの留め釘（peg）３０を備えている。パンチ１８は、下側ハウジング２２内に（Ｚ軸７１を中心として）回転不能に固定されると共に、下側ハウジング２２内において溝３２に沿って（すなわち、Ｚ軸７１に沿って）垂直に移動するように構成されている。一実施形態では、下側ランプ２０は、パンチ１８が着座する基板３５、および少なくとも１つの楔（wedge）３６を備えている。一実施形態では、少なくとも１つの楔３６は、基板３５、直立脚３７、およびそれらの間の傾斜脚３９によって形成される基部を有し、実質的に三角形状またはピラミッド形状を有している。特定の実施形態では、少なくとも１つの楔３６は、下側ランプ２０の周囲に沿って等間隔に離間した少なくとも３つの楔を含み、パンチ１８は、該パンチ１８の周囲に配置された少なくとも３つの対応する留め釘３０を備えている。少なくとも１つの留め釘３０は、少なくとも１つの楔３６と係合し、少なくとも１つの楔３６がハウジング１１に対応して回転すると、少なくとも１つの楔３６の傾斜脚３９に沿って移動するように構成されている。従って、下側ランプ２０が回転すると、少なくとも１つの楔３６がパンチ１８に対して回転し、少なくとも１つの留め釘３０が持ち上がり、パンチ１８をハウジング１１に対して持上げることになる。一実施形態では、少なくとも１つの留め釘３０は、少なくとも１つの楔３６の基部に位置し、下側ランプ２０が回転すると、傾斜脚３９に沿って移動するようになっている。
【００１１】
一実施形態では、上側ランプ１６は、下側ランプ２０の少なくとも１つの楔３６に対応してその楔３６と係合するようにされた少なくとも１つの切欠部分３８を備えている。切欠３８は、少なくとも１つの楔３６と係合することができるどのような形状または大きさを有してもよいが、一実施形態では、少なくとも１つの切欠３８は、少なくとも１つの楔３６の形状に対応する形状を有し、少なくとも１つの楔３６の垂直脚３７と係合するようになっている。従って、上側ランプ１６および下側ランプ２０は、（図２に示されるように）、Ｚ軸７１を中心とする上側ランプ１６の回転によって、少なくとも１つの切欠部３８が少なくとも１つの楔３６と係合し、これによって、下側ランプ２０をＺ軸７１を中心として同じように回転させるように、互いに動作が関連し合う。
【００１２】
図３および図４に示される実施形態では、パンチ１８は、該パンチ１８がダイ１４と係合するのを可能にしながら、回転運動を阻止するために、下側ハウジング２２と係合する機構を備えている。他の例示的な実施形態では、ハウジング１１は、上側ハウジング１２、下側ハウジング２２、およびパンチ１８と係合する第１の側５４および下側ハウジング２２と係合する第２の側５５を有する下側ランプ２０を備えている。下側ハウジング２２は、Ｚ軸７１と実質的に直交する基部５６、基部５６の周囲から実質的に延在する側壁５８、およびＺ軸７１に沿って下側ハウジング２２の基部５６から直交して延在する垂直突出部である少なくとも１つのリブ５０を備えている。一実施形態では、少なくとも１つのリブ５０は、下側ハウジング２２の基部５６の実質的に全幅に全体にわたって延在し、基部５６の中心を貫通している。下側ランプ２０は、下側ハウジング２２の少なくとも１つのリブ５０と係合する少なくとも１つの楔３６を備えている。下側ランプ２０が回転すると、少なくとも１つの楔３６は、少なくとも１つのリブ５０と係合し、下側ランプ２０および該下側ランプ２０の上に位置するパンチ１８は、上側ハウジング１２、下側ハウジング２２、およびダイ１４に対して、Ｚ軸７１に沿って持上げられるようになっている。
【００１３】
図１に示される実施形態では、ハウジング１１は、第１のハンドル２４および第２のハンドル２６を備えている。図２に示されるように、第１のハンドル２４は、上側ランプ１６に固定して取り付けられ、第２のハンドル２６は、下側ハウジング２２に固定して取り付けられている。上側ランプ１６（および下側ランプ２０）が、上側ハウジング１２、パンチ・ダイ１３、および下側ハウジング２２に対して回転可能なので、このランプの運動を拘束する機構が設けられている。一実施形態では、上側ハウジング１２は、第１の拘束タブ６０および第２の拘束タブ６１を備えている。これらのタブ６０，６１は、それぞれ、第１のハンドル２４および第２のハンドル２６と係合するように、配置されている。第１のハンドル２４が第１の拘束タブ６０の近くに位置し、第２のハンドル２６が第２の拘束タブ６１の近くに位置するとき、パンチ１８は、下側に位置することになる。すなわち、留め釘３０（図１）またはリブ５０（図３）は、下側ハウジング２２の基部に位置し、パンチは、ダイから外れている。第１のハンドル２４および第２のハンドル２６が互いに近接すると、下側ランプ２０が回転し、パンチ１８が、持ち上がって、ダイ１４と係合することになる。一実施形態では、第１のハンドル２４および第２のハンドル２６を、パンチ１８がダイ１４から外される「拘束位置」に保持するために、付勢機構が用いられている。好ましい実施形態では、ハンドル２４，２６を付勢するために、第１のハンドル２４は、バネ３１の第１の端を受けるように構成され、第２のハンドル２６は、バネ３１の第２の端を受けるように構成されている。
【００１４】
当業者であれば、種々の大きさおよび種々の形式のダイおよびパンチが、本発明の精神から逸脱することなく、本発明のパンチツールと共に用いられてもよいことを理解するだろう。例えば、本発明のパンチツールは、ユーザの手のひらに収まるような大きさに設定されてもよいし、あるいは代替的に、机または他の作業面上で用いられるような大きさに設定されてもよい。
【００１５】
ここに記載された実施形態に対する種々の変更および修正が、当業者に明らかになるであろうことを理解されたい。このような変更および修正は、本発明の精神および範囲から逸脱することなく、および本発明による利点を失うことなく、なされ得るだろう。
【図面の簡単な説明】
【００１６】
【図１】本発明の一実施形態によって構成されるパンチツールの斜視図である。
【図２】図１のパンチツールの分解斜視図である。
【図３】本発明の第２実施形態によって構成されるパンチツールの断面図である。
【図４】図３のパンチツールの斜め断面図である。
【図１】
2009508702.tif 000003
【図２】
2009508702.tif 000004
【図３】
2009508702.tif 000005
【図４】
2009508702.tif 000006
【手続補正書】
【提出日】平成20年5月20日(2008.5.20)
【手続補正１】
【補正対象書類名】特許請求の範囲
【補正対象項目名】全文
【補正方法】変更
【補正の内容】
【特許請求の範囲】
【請求項１】
下側部分、上側部分、およびパンチされる材料を受ける、前記上側部分と前記下側部分との間の領域を有するハウジングと、
前記ハウジング内に少なくとも部分的に配置されたパンチおよびダイと、
前記パンチと前記ハウジングの前記下側部分との間に配置されて、前記パンチおよび前記下側部分に対して回転可能である下側ランプであって、前記下側ランプの回転時に前記パンチと係合可能である下側ランプと、
を備えるパンチツールにおいて、
前記下側ランプの回転によって、前記パンチが、前記ハウジング内において移動し、前記ダイと係合するようになっていることを特徴とするパンチツール。
【請求項２】
前記ハウジングの前記上側部分と前記パンチとの間に配置され、前記上側部分および前記パンチに対して回転可能である上側ランプであって、前記下側ランプと係合可能である上側ランプをさらに備え、前記上側ランプの回転によって、前記下側ランプが回転するようになっていることを特徴とする、請求項１に記載のパンチツール。
【請求項３】
前記パンチは、前記ハウジングとの係合によって、回転不能に固定されていることを特徴とする、請求項２に記載のパンチツール。
【請求項４】
前記上側ランプに連結された第１のハンドルおよび前記ハウジングに取り付けられた第２のハンドルであって、互いに対して移動可能に配置された、第１のハンドルおよび第２のハンドルをさらに備え、前記第１のハンドルを前記第２のハンドルの近くに引寄せることによって、前記上側ランプが回転するようになっていることを特徴とする、請求項２に記載のパンチツール。
【請求項５】
前記第１のハンドルおよび前記第２のハンドルは、前記パンチが前記ダイと係合することを可能とするように前記上側ランプを回転させるのに十分な制限範囲内において、互いに対して移動可能であることを特徴とする、請求項４に記載のパンチツール。
【請求項６】
前記第１のハンドルおよび前記第２のハンドルは、互いに離れるように付勢されていることを特徴とする、請求項５に記載のパンチツール。
【請求項７】
前記下側ランプは、前記下側ランプの回転時に、前記ハウジングの前記下側部分および前記パンチと係合可能であることを特徴とする、請求項１に記載のパンチツール。
【請求項８】
前記下側ランプに連結された第１のハンドルおよび前記ハウジングに取付けられた第２のハンドルであって、互いに対して移動可能に配置された、第１のハンドルおよび第２のハンドルをさらに備え、前記第１のハンドルを前記第２のハンドルの近くに引寄せることによって、前記下側ランプが回転するようになっていることを特徴とする、請求項７に記載のパンチツール。
【請求項９】
前記第１のハンドルおよび前記第２のハンドルは、前記パンチが前記ダイと係合することを可能とするように前記上側ランプを回転させるのに十分な制限範囲内において、互いに対して移動可能であることを特徴とする、請求項８に記載のパンチツール。
【請求項１０】
前記第１のハンドルおよび前記第２のハンドルは、互いに離れるように付勢されていることを特徴とする、請求項９に記載のパンチツール。
【請求項１１】
下側部分、上側部分、およびパンチされる材料を受ける、前記上側部分と前記下側部分との間の領域を有するハウジングと、
前記ハウジング内に回転不能に固定されたパンチ、およびダイであって、前記ハウジング内に少なくとも部分的に配置された、パンチおよびダイと、
前記ハウジングの前記上側部分と前記パンチとの間に配置されて前記上側部分および前記パンチに対して回転可能である上側ランプ、および前記パンチと前記ハウジングの前記下側部分との間に配置されて前記パンチおよび前記下側部分に対して回転可能である下側ランプであって、前記上側ランプは、前記下側ランプと係合可能であり、前記上側ランプの回転によって、前記下側ランプが回転し、前記下側ランプの回転時に、前記下側ランプが前記パンチと係合可能である、上側ランプおよび下側ランプと、
を備える反転可能なパンチツールにおいて、
前記下側ランプの回転によって、前記パンチが、前記ハウジング内において回転し、前記ダイと係合するようになっていることを特徴とする反転可能なパンチツール。
【請求項１２】
前記上側ランプに連結された第１のハンドルおよび前記ハウジングに取り付けられた第２のハンドルであって、互いに対して移動可能に配置された、第１のハンドルおよび第２のハンドルをさらに備え、前記第１のハンドルを前記第２のハンドルの近くに引寄せることによって、前記上側ランプが回転するようになっていることを特徴とする、請求項１１に記載の反転可能なパンチツール。
【請求項１３】
前記第１のハンドルおよび前記第２のハンドルは、前記パンチを前記ダイに係合させることを可能とするように前記上側ランプを回転させるのに十分な制限範囲内において、互いに対して移動可能であることを特徴とする、請求項１２に記載の反転可能なパンチツール。
【請求項１４】
前記第１のハンドルおよび前記第２のハンドルは、互いに離れるように付勢されていることを特徴とする、請求項１３に記載の反転可能なパンチツール。
【請求項１５】
前記パンチは、複数の突起を備え、前記パンチと係合する前記機構は、前記突起に対応する複数の楔を備え、前記下側ランプが回転すると、前記楔は前記突起と係合し、前記パンチを前記ハウジングに対して持上げるようになっていることを特徴とする、請求項１２に記載の反転可能なパンチツール。
【請求項１６】
下側部分、上側部分、およびパンチされる材料を受ける、前記下側部分と前記上側部分との間の領域を有するハウジングと、
前記ハウジング内に少なくとも部分的に配置されたパンチおよびダイと、
前記パンチと前記ハウジングの前記下側部分との間に配置され、前記パンチおよび前記下側部分に対して回転可能である下側ランプであって、前記下側ランプの回転時に、前記パンチおよび前記ハウジングの前記下側部分と係合可能である下側ランプと、
を備える反転可能なパンチツールにおいて、
前記下側ランプの回転によって、前記パンチが、前記ハウジング内において回転し、前記ダイと係合するようになっていることを特徴とする反転可能なパンチツール。
【請求項１７】
前記下側ランプに連結された第１のハンドルおよび前記ハウジングに取付けられた第２のハンドルであって、互いに対して移動可能に配置された、第１のハンドルおよび第２のハンドルをさらに備え、前記第１のハンドルを前記第２のハンドルの近くに引寄せることによって、前記下側ランプが回転するようになっていることを特徴とする、請求項１６に記載の反転可能なパンチツール。
【請求項１８】
前記第１のハンドルおよび前記第２のハンドルは、前記パンチが前記ダイと係合するのを可能とするように前記上側ランプを回転させるのに十分な制限範囲内において、互いに対して移動可能であることを特徴とする、請求項１７に記載の反転可能なパンチツール。
【請求項１９】
前記第１のハンドルおよび前記第２のハンドルは、互いに離れるように付勢されていることを特徴とする、請求項１８に記載の反転可能なパンチツール。
【請求項２０】
前記ハウジングの前記下側部分は、複数の突起を備え、前記下側ランプは、前記前記ハウジングの前記下側部分と係合するために、前記突起に対応する複数の楔を備え、前記下側ランプが回転すると、前記楔は前記突起と係合し、前記下側ランプを前記ハウジングの前記下側部分に対して持上げるようになっていることを特徴とする、請求項１６に記載の反転可能なパンチツール。
【国際調査報告】
2009508702.tif 000007
2009508702.tif 000008